(57)【要約】      （修正有）【課題】鳥害や獣害を確実に防止することができ、折り畳み状態での美観が損なわれる恐れの小さい折り畳み式ゴミ収容装置を提供する。【解決手段】前側枠体１と後側枠体２との間の、少なくとも両側面及び上面が膜状体５によって覆われていることで鳥害や獣害を確実に防止することができるが、前側枠体１の外周面が、後側枠体２の内周面より小さくなされていることで後側枠体２の内側に前側枠体１を収納することができ、ゴミの出し入れの際に汚れがちな前側枠体１を後側枠体２によって隠して折り畳み状態での美観が損なわれる恐れを小さくできる。【選択図】図１
2007070114.tif 000002
【特許請求の範囲】
【請求項１】
開閉自在な扉が取り付けられた前側枠体と、後側枠体と、前記前側枠体と前記後側枠体とを伸縮自在に繋ぐパンタグラフ伸縮機構と、前記前側枠体と前記後側枠体との間の少なくとも両側面及び上面を覆う可とう性の膜状体とを備え、前記前側枠体の外周面が、前記後側枠体の内周面より小さくなされていることを特徴とする折り畳み式ゴミ収容装置。
【請求項２】
前記膜状体は、一体のネットが折り曲げられて断面門型となされたものを用いていることを特徴とする請求項１に記載の折り畳み式ゴミ収容装置。
【請求項３】
前記パンタグラフ伸縮機構は、前記前側枠体及び前記後側枠体の左右両側に各々設けられ、斜桟がＸ字状に交差されると共に所定位置においてピン結合されたＸ字体が前後方向に複数設けられたものであって、該複数のＸ字体間には、上下方向に延びる縦桟が設けられ、該縦桟の上端において、左右の前記パンタグラフ伸縮機構間に支持バーが差し渡されて設けられていることを特徴とする請求項１又は２に記載の折り畳み式ゴミ収容装置。
【請求項４】
更に間隔保持手段が設けられ、該間隔保持手段によって展開時に前記前側枠体と前記後側枠体との間隔が保持されるようになされていることを特徴とする請求項１〜３のいずれかに記載の折り畳み式ゴミ収容装置。
【請求項５】
前記後側枠体は、枠材が箱状に枠組みされて囲繞部が形成され、折り畳み時において、該囲繞部に前記前側枠体、前記パンタグラフ伸縮機構及び前記膜状体が収納可能となされていることを特徴とする請求項１〜４のいずれかに記載の折り畳み式ゴミ収容装置。
【請求項６】
前記前側枠体は、前記扉の開放時には下方が開口されて門型となされたものであって、ゴミが収容され且つ前記扉が開放された状態で、前記パンタグラフ伸縮機構を収縮させて折り畳み可能となされていることを特徴とする請求項１〜５のいずれかに記載の折り畳み式ゴミ収容装置。
【請求項７】
開閉自在な扉が取り付けられた前側枠体と、枠材が箱状に枠組みされて囲繞部が形成された後側枠体と、前側枠体と後側枠体とを繋ぎヒンジ構造により内側に折り畳み可能に接続された側面枠体と、後側枠体に取り付けられた上面板とを備え、収納時において前側枠体と側面枠体が囲繞部に収容可能となされ、後側枠体の前面側の少なくとも一部が上面板により覆われるようになされていることを特徴とする折り畳み式ゴミ収容装置。
【請求項８】
前記上面板は、囲繞部に収容されるようになされていることを特徴とする請求項７に記載の折り畳み式ゴミ収容装置。
【発明の詳細な説明】
【技術分野】
【０００１】
本発明は、ゴミ集積時には展開されて収容用のスペースが確保され、それ以外では折り畳まれて邪魔にならない折り畳み式ゴミ収容装置に関するものである。
【背景技術】
【０００２】
従来の折り畳み式ゴミ収容装置としては、例えばごみ収容部が左右両側に位置する前後方向に伸縮自在なパンタグラフ伸縮機構と、該パンタグラフ伸縮機構の前端部に設けられた前面パネルを備え、パンタグラフ伸縮機構の吊元端部にパンタグラフ伸縮機構と前面パネルが収容可能な収納枠を立設し、蓋体を前記収納枠の上部前端位置に枢着し、パンタグラフ伸縮機構を伸長した状態において蓋体をパンタグラフ伸縮機構と前面パネルの上部に覆設してごみ集積ボックスを形成し、パンタグラフ伸縮機構を縮めた状態においてパンタグラフ伸縮機構と前面パネルを収納枠の内部に収容し、蓋体を前面パネルと重ね合わせたことを特徴とするごみ集積ボックスが開示されている（例えば特許文献１）。
【０００３】
また、１枚のパネルと相対する枠体を左側面，右側面及び上面の対向する辺をパンタ機構で連結し枠体がパネルに対して前後平行に伸縮自在に動くようにした構造体を構成（以後構造体Ａと言う）し更にこの構造体Ａの内面には構造体Ａの動きに応じて内容物を保護する囲いが伸縮，屈曲自在な構造物（以後構造物Ｂと言う）によって自動的に構成出来るようにし枠体をパネル側に移動すると扉以外は面体の箱状態になり枠体をパネルに対して手前に動かすと収納庫が形成出来る伸縮式構造体において枠体には適宜扉を取り付けて使用する伸縮式ゴミ収納庫が開示されている（例えば特許文献２）。
【０００４】
【特許文献１】特開２０００−３０９４０１号公報
【特許文献２】特開２００２−８７５０２号公報
【発明の開示】
【発明が解決しようとする課題】
【０００５】
しかしながら、特許文献１に記載のような折り畳み式ゴミ収容装置では、側面のパンタグラフ伸縮機構の隙間からカラスが収容されたゴミをついばんだりする恐れがあり、鳥害や獣害を確実に防止することができにくい構造となっていた。
【０００６】
また、特許文献２に記載のような折り畳み式ゴミ収容装置では、後側の枠体の前面に前側の枠体が重ね合わされることで、ゴミの出し入れの際に汚れが付着しやすい前側の枠体が、折り畳まれた状態で露出しており、折り畳み状態での美観が損なわれる恐れのあるものであった。
【０００７】
本発明は上記の如き課題に鑑みてなされたものであり、鳥害や獣害を確実に防止することができ、折り畳み状態での美観が損なわれる恐れの小さい折り畳み式ゴミ収容装置を提供せんとするものである。
【課題を解決するための手段】
【０００８】
上記目的を達成するため、本発明は以下のような構成としている。すなわち、本発明に係わる折り畳み式ゴミ収容装置は、開閉自在な扉が取り付けられた前側枠体と、後側枠体と、前記前側枠体と前記後側枠体とを伸縮自在に繋ぐパンタグラフ伸縮機構と、前記前側枠体と前記後側枠体との間の少なくとも両側面及び上面を覆う可とう性の膜状体とを備え、前記前側枠体の外周面が、前記後側枠体の内周面より小さくなされていることを特徴とするものである。
【０００９】
本発明に係わる折り畳み式ゴミ収容装置によれば、前側枠体と後側枠体との間の、少なくとも両側面及び上面が膜状体によって覆われていることで鳥害や獣害を確実に防止することができるが、前側枠体の外周面が、後側枠体の内周面より小さくなされていることで後側枠体の内側に前側枠体を収納することができ、ゴミの出し入れの際に汚れがちな前側枠体を後側枠体によって隠して折り畳み状態での美観が損なわれる恐れを小さくできる。
【００１０】
また前記膜状体は、一体のネットが折り曲げられて断面門型となされたものを用いていれば、風圧による膜状体の変形や破損を防止でき、また両側面と上面との間に隙間が開く恐れをなくして鳥害及び獣害をより確実に防止できるようになり好ましい。
【００１１】
また前記パンタグラフ伸縮機構は、前記前側枠体及び前記後側枠体の左右両側に各々設けられ、斜桟がＸ字状に交差されると共に所定位置においてピン結合されたＸ字体が前後方向に複数設けられたものであって、該複数のＸ字体間には、上下方向に延びる縦桟が設けられ、該縦桟の上端において、左右の前記パンタグラフ伸縮機構間に支持バーが差し渡されて設けられていれば、左右のパンタグラフ伸縮機構間が支持バーにより一定の間隔となされることで、展開時及び折り畳み時にパンタグラフ伸縮機構にかかるねじれ応力等を低減して耐久性を高めることができ、また支持バーにより上面の膜状体を下方から支持できることで、装置内の空間を確保するのが容易となり好ましい。
【００１２】
また更に間隔保持手段が設けられ、該間隔保持手段によって展開時に前記前側枠体と前記後側枠体との間隔が保持されるようになされていれば、展開時に前側枠体と後側枠体との前後の間隔が一定となされることで、収容されたゴミが押しつぶされたり、パンタグラフ伸縮機構が広がりすぎて破損したりする等の不具合の発生を防止することができ好ましい。
【００１３】
また前記後側枠体は、枠材が箱状に枠組みされて囲繞部が形成され、折り畳み時において、該囲繞部に前記前側枠体、前記パンタグラフ伸縮機構及び前記膜状体が収納可能となされていれば、折り畳み時には装置全体が後側枠体外縁より内側に収まることになり、折り畳み時の美観を更に高めることができると共に、前側枠体等が突出して周囲を通行する歩行者や自転車等に接触する恐れを小さくすることができ好ましい。
【００１４】
また前記前側枠体は、前記扉の開放時には下方が開口されて門型となされたものであって、ゴミが収容され且つ前記扉が開放された状態で、前記パンタグラフ伸縮機構を収縮させて折り畳み可能となされていれば、ゴミ収集車によるゴミの収集時等において装置内にゴミを収容したまま装置の折り畳みを行うことができ、ゴミの取り出しと装置の折り畳みを同時に行うことができるようになり好ましい。
【００１５】
また本発明に係わる折り畳み式ゴミ収容装置は、開閉自在な扉が取り付けられた前側枠体と、枠材が箱状に枠組みされて囲繞部が形成された後側枠体と、前側枠体と後側枠体とを繋ぎヒンジ構造により内側に折り畳み可能に接続された側面枠体と、後側枠体に取り付けられた上面板とを備え、収納時において前側枠体と側面枠体が囲繞部に収容可能となされ、後側枠体の前面側の少なくとも一部が上面板により覆われるようになされていることを特徴とするものである。
【００１６】
本発明に係わる折り畳み式ゴミ収容装置によれば、前側枠体、後側枠体、側面枠体及び上面板により収容スペースが囲まれることで鳥害や獣害を確実に防止することができるが、折り畳まれた状態で、囲繞部に前側枠体と側面枠体とが収容されることで後側枠体により突出した部分をなくして全体的にすっきりとした印象となり、また後側枠体の前面側の少なくとも一部が上面板により覆われることで収容された前側枠体及び側面枠体が隠されるようになされて、美観が損なわれる恐れを小さくできる。
【００１７】
また前記上面板は、囲繞部に収容されるようになされていれば、更にすっきりとした印象として美観が損なわれる恐れを小さくでき好ましい。
【発明の効果】
【００１８】
本発明に係わる折り畳み式ゴミ収容装置によれば、前側枠体と前記後側枠体との間の、少なくとも両側面及び上面が膜状体によって覆われていることで鳥害や獣害を確実に防止することができるが、前記前側枠体の外周面が、前記後側枠体の内周面より小さくなされていることで後側枠体の内側に前側枠体を収納することができ、ゴミの出し入れの際に汚れがちな前側枠体を後側枠体によって隠して折り畳み状態での美観が損なわれる恐れを小さくできる。
【００１９】
また本発明に係わる折り畳み式ゴミ収容装置によれば、前側枠体、後側枠体、側面枠体及び上面板により収容スペースが囲まれることで鳥害や獣害を確実に防止することができるが、折り畳まれた状態で、囲繞部に前側枠体と側面枠体とが収容されることで後側枠体により突出した部分をなくして全体的にすっきりとした印象となり、また後側枠体の前面側の少なくとも一部が上面板により覆われることで収容された前側枠体及び側面枠体が隠されるようになされて、美観が損なわれる恐れを小さくできる。
【発明を実施するための最良の形態】
【００２０】
本発明に係わる最良の実施の形態について、図面に基づき以下に具体的に説明する。
【００２１】
図１は、本発明に係わる折り畳み式ゴミ収容装置の、第一の実施形態を示すもので、（ａ）は展開時を示す斜視図、（ｂ）は折り畳み時を示す斜視図である。まず（ａ）において、折り畳み式ゴミ収容装置１０は、前側枠体１と後側枠体２とが、各々の両側端間に設けられた伸縮自在のパンタグラフ伸縮機構３によって接続され、展開時においては前側枠体１と後側枠体２との距離は、剛性の棒状体である間隔保持手段４を用いて一定に保持されるようになされている。また前側枠体１と後側枠体２との間の、上面及び両側面には、合成樹脂製のネットである膜状体５が設けられ、膜状体５は前側枠体１の背面側と、後側枠体２の後端部分とに取り付けられると共に、パンタグラフ伸縮装置３に被せられるようにして設けられている。
【００２２】
前側枠体１は、鋼鉄製の角パイプが溶接により枠組みされて外枠材１１が形成され、外枠材１１の内部に、同じく鋼鉄製の角パイプを溶接して枠組みした扉枠材１２が形成され、扉枠材１２の内側には金網１３が張り巡らされている。外枠材１１と扉枠材１２はヒンジ構造（図示せず）により回動可能に接続されることで、扉枠材１２が前面側に開放されることで折り畳み式ゴミ収容装置１０内の空間が開放され、ゴミの出し入れを行うことができるようになされている。尚、扉枠材１２を開放する必要がない場合には、前面に設けられた閉鎖錠１４により閉鎖状態を保持することができるようになされている。また前側枠体１の下面にはキャスター１５が取り付けられ、展開時や折り畳み時に前側枠体１を円滑に移動することができるようになされている。
【００２３】
後側枠体２は、鋼鉄製のＬ字型のアングルであるアングル材２１が箱状に枠組みされ、側方の下端部分には地表に埋設された二体のアンカーボルトＡに固定するためのベース部２２が設けられている。アングル材２１が箱状に枠組みされることで、後側枠体２の前後方向はある程度の厚みを持ったものとなり、その両側端に設けた鋼鉄製の板状体であるベース部２２を複数のアンカーボルトＡによって固定することで、後側枠体２が前後方向からの外力に対して強固に地表に固定されたものとなり、折り畳み式ゴミ収容装置を安定な構造体とすることができている。
【００２４】
パンタグラフ伸縮機構３は、鋼鉄製の棒状体がＸ字状に交差された斜桟３１が、長さ方向の中央付近でピン結合３２されて回動自在に結合されてＸ字体３３が形成されており、Ｘ字体３３がその両端で上下方向に延びる鋼鉄製の角パイプである縦桟３４に同じく回動自在にピン結合３２されることで前後方向に伸縮自在に形成されたものである。更に縦桟３４の上端から横方向に、左右のパンタグラフ伸縮機構３の縦桟３４間に差し渡されて設けられた鋼鉄製の角パイプである支持バー３５が溶接により一体とされて形成されており、縦桟３４の左右方向における位置ズレを防止してパンタグラフ伸縮機構３の変形や破損の恐れを小さくすると共に、膜状体５の上面部分を下方から支持してゴミ収納用の空間を保持するようにしている。
【００２５】
間隔保持手段４は、鋼鉄製の棒状体である剛性バー４１が、前側枠体１に設けられたプレート４３と、後側枠体２に設けられた支持部４４との間に差し渡されて形成され、プレート４３に対しては回動軸４２により回動自在に固定されることで、折り畳み時には剛性バー４１の一端を支持部４４から取り外し、剛性バー４１を回動軸４２によって下方に回動させて前側枠体１に沿わせることで、折り畳み時に間隔保持手段４も同時に折り畳むことが可能となされている。
【００２６】
膜状体５は、ポリエチレン製の合成樹脂製ネットであり、折り畳み式ゴミ収容装置１０は展開時において、前側は前側枠体１によって覆われており、後側は壁面や後側枠体２にカバー材を取り付ける等適宜の手段にて覆うことができるが、上面及び両側面については膜状体５により覆うことで、ゴミを収容する空間を完全に覆って、カラスなどの鳥類が飛来して装置内に収容されたゴミをついばんで散らかす等する鳥害や、猫や犬などが到来して同じくゴミをあさって散らかす等する獣害を防ぐことができる。また膜状体５は可とう性のものであるから、折り畳み時には自在に変形して収納することができる。膜状体５は、風荷重を受けにくいネットが好ましく、また折り畳み時に容易に折り畳むことができる合成樹脂製のものが好ましいが、それに限定されるものではなく、金属製のネットや、合成樹脂製のシート等も用いることができる。更に合成樹脂製のネットやシートに鳥獣類が忌避するカプサイシンを配合して形成したものを用いてもよい。
【００２７】
次に図１の（ｂ）において、前側枠体１の幅Ｗ１及び高さＨ１が、門型に形成された後側枠体２の内側の幅Ｗ２及び高さＨ２より小さくなされていることで、折り畳み時に前側枠体１が後側枠材２の前面２３より略同一又は奧側に収納可能となり、側方や斜め方向から見た場合に前側枠体１が後側枠体２により隠されるようにできる。前側枠体１は、ゴミの出し入れの際にゴミが当たって汚れたり、扉枠材１２の開閉によって擦り傷等が付いたりして好ましくない美観となる場合が多いが、後側枠体２により隠されることで、市街地等に設置した場合でも美観を損ねる恐れを小さくできる。
【００２８】
図２は、本発明に係わる折り畳み式ゴミ収容装置の、第二の実施形態を示す説明図である。まず（ａ）は、パンタグラフ伸縮機構３が伸長されて展開時となされ、扉枠材１２が開放された状態を示しているが、折り畳み式ゴミ収容装置１０内にはゴミＤが集積されており、本実施形態においてはゴミＤの下方には底板等を設けることなく、ゴミＤは地表上に載置された状態となされている。更に前側枠体１の外枠材１１は、下方が開放されて門型となされていることで、装置１０内にゴミＤを収容した状態でパンタグラフ伸縮機構３を収縮させて前側枠材１を後方に向かって移動することで折り畳みを行うことができる。
【００２９】
（ｂ）は、扉枠材１２を除いて折り畳みを行った状態を示しているが、パンタグラフ伸縮機構３、間隔保持手段４及び膜状体５が折り畳まれて収納されていることで、ゴミＤの上方及び前方が開放された状態となりゴミの取り出しと回収とが格段に容易な状態となされている。かかる構成により、ゴミ収集車による回収時に、収集作業者が回収時に、回収を容易にするためと併せて折り畳み式ゴミ収容装置１０の折り畳みを行うようになり、ゴミが集積されていない状態において折り畳み状態を維持するのにゴミ当番制等によって周辺住民に繁雑な手間をかけさせることを軽減することができる。
【００３０】
図３及び図４は、図２に示した折り畳み式ゴミ収容装置の、更に変形の例を示す横断面図である。まず図３において、パンタグラフ伸縮機構３が伸長された状態で、折り畳み式ゴミ収容装置１０内にはゴミＤが集積されている。外枠材１１に取り付けられた扉枠材１２には金網１３が取り付けられているが、金網１３は扉枠材１２に対して回動軸１６によって回動自在となされると共に、金網１３自体の左右方向の中央にも回動軸１６が設けられている。また後側枠体２は上下方向に延びるアングル材２１が四隅に形成され、四隅のアングル材２１により囲繞部２３が形成されている。
【００３１】
図４は、折り畳みの状態を示す横断面図であるが、まず（ａ）に示す如く外枠材１１に対して扉枠材１２がヒンジ構造（図示せず）によって回動されて、折り畳み式ゴミ収容装置１０の前面側が開放される。その状態でパンタグラフ伸縮機構３を収縮させて、図２に示した如き折り畳みを行う。折り畳みが行われることで、前側枠体１、パンタグラフ伸縮機構３及び膜状体（本図には図示せず）が囲繞部２３に収容される。パンタグラフ収縮機構３を折り畳むと共に、（ｂ）に示す如く回動軸１６を用いて金網１３をも折り畳む。金網を折り畳むことで集積されたゴミＤが左右の側面についても開放された状態となり、収集作業者によるゴミＤの収集作業が更に簡便なものとなり得る。また金網１３を折り畳むことで扉としての動作半径が小さくなり、この状態で扉枠材１２を閉鎖状態として折り畳みを完了することもできるようになり、折り畳みに係わる作業を一連の動作として行うことができるようになり、収集の作業がより一層簡便なものとなり得る。
【００３２】
尚、上述の金網１３については一例を示すものであり、面状体であれば特に金属製等の金網に限定されるものではなく、木材、金属材料、合成樹脂材料を用いて形成した面板や、金属樹脂積層板等を用いて形成してもよい。また一連の実施形態において、扉枠材１２内に金網１３を取り付けたものを示しているが、この形態に限定されるものではなく、扉枠材１２を用いずに上記の如き面板を直接外枠材１１に取り付けることで扉を形成するようにしてもよい。
【００３３】
図５〜図９は、本発明に係わる折り畳み式ゴミ収容装置の、第三の実施形態を示す説明図である。図５は折り畳み式ゴミ収容装置の展開時を示す斜視図であるが、まず図５（ａ）において、折り畳み式ゴミ収容装置１０は、第一の実施形態と同様に、鋼鉄製の角パイプであるアングル材２１が筺状に枠組みされて後側枠体２が形成され、後側枠体２の下端に設けられたアンカープレート２２により地表に固定できるようになされている。また前側枠体１についても同様に、外枠材１１内に前面側に観音開きとなる扉材１７が取り付けられ、更に外枠材１１の下方両側端に前側枠体１を前後に移動させるためのキャスター１５が取り付けられている。扉材１７には閉鎖状態を維持するための閉鎖錠１４が取り付けられている。
【００３４】
前側枠体１と後側枠体２との間は、まず側面については側面枠体６により接続されている。側面枠体６は、薄い鋼板からなる面材６２の周囲を鋼鉄製の角パイプからなる外枠材６１が囲んで形成されたもので、二体がヒンジ構造により接続されて設けられて側面を閉塞している。また上面については、把手７１が設けられた上面板７により閉塞されている。
【００３５】
展開状態においては、（ｂ）に示す如く内部空間が開放される。まず前側枠体１に取り付けられた扉材１７が前面側に観音開きする方向である矢印Ｙ１の方向に開放されるようになされ、更には上面板７が後側枠体２との接続部分を中心に上方である矢印Ｙ２の方向に開放されて、ゴミ収容用の内部空間が開放される。上面板７は上方に開放されることから、重力により閉鎖状態を保持できることから前側枠体１及び側面枠体６に載置されているのみであるが、必要に応じて閉鎖錠等を設けておいてもよい。上面板７を開放するのは主にゴミを投入する場合であり、扉材１７を開放するのは主としてゴミを回収する場合である。従って上面板７には把手７１が設けられると共に、上面板７の周囲が折り曲げられて枠状部７３が設けられて軽量化が図られ、軽量でありながら高い強度が得られるようになされている。
【００３６】
図６は、折り畳み式ゴミ収容装置１０の収納を示す斜視図である。（ａ）において、まず上面板７を回動軸７２を中心に上方である矢印Ｙ２の方向に持ち上げておく。次に二体設けられた側面枠体６は、互いにヒンジ構造により接続されると共に、側面枠体６と、前側枠体１及び後側枠体２との間もヒンジ構造により接続されて、両側面に設けられた側面枠体６が共に内側である矢印Ｙ３の方向に折り曲げられるようになされていることで、側面枠体６をヒンジ構造により折り曲げることで前側枠体１を後方である矢印Ｙ４の方向に移動させることができる。前側枠体１の矢印Ｙ４への移動はキャスター１５により円滑に行われる。
【００３７】
側面枠体６を折り曲げて折り畳むことで、（ｂ）に示す如く前側枠体１及び側面枠体６は後側枠体２のアングル材２１により囲まれた囲繞部２３内に収容される。収納された前側枠体１の前面側に、更に下方である矢印Ｙ５の方向に回動されて上面板７も囲繞部２３内に収納され、折り畳み式ゴミ収容装置１０は収納状態となされる。
【００３８】
前側枠体１においては、強度及び靱性の高い鉄鋼、アルミニウム、ステンレス等の金属材料を用いて形成するのが好ましく、外枠体１１はこれらの金属製である管状体や押出形材を適宜用いて形成することができる。また扉材１７を形成する面材については、これらの金属材料の板状体を好適に用いることができるが、金属−樹脂積層板を用いて軽量化及び美観の向上を図ってもよい。扉材１７についても面材の周囲に枠体を形成したり、周囲を折り曲げたりして強度を必要とされる強度を確保することができる。後側枠体２についても金属材料を用いて形成するのが好ましく、第一及び第二の実施形態と同様にＬ字型のアングル材を用いて形成してもよいが、管状体をアングル材２１として用いることで、強度を高めて囲繞部２３の立体的な安定性を高めておくのが好ましい。
【００３９】
側面枠体６についても前側枠体１と同様の材料や形状にて外枠体６１や面材６２を形成してよく、また上面板７と同様に面材の周囲を折り曲げて枠状部を形成し、外枠体６１を省略してもよい。上面板７についても同様に、外枠部に面材を取り付けて形成してもよい。また扉材１７、面材６２及び上面板７については、パンチング孔が開口されたパンチング板や、適宜の形状の孔が空けられた有孔板を用いて形成し、軽量化や内容物の視認を図るようにしてもよい。また金網製のネットや、金属製の棒材を縦横に巡らせたフェンス状体などを用いることもできる。上記パンチング孔等やネットや棒材の隙間は、カラスの嘴等が容易に侵入できないよう、５０ｍｍ以下程度の直径としておくのが好ましい。
【００４０】
またパンチング孔は図７に示すように設けてもよい。パンチング孔Ｐは箱状の形状である折り畳み式ゴミ収容装置１０に合わせて矩形の形状となされることで、パンチング孔Ｐが全体の形状に違和感なく溶け込んで美観が高められるようになされている。パンチング孔Ｐは前側枠体１の扉材１７及び側面枠体６の面材６２に設けられて、外側からのゴミの収容量の把握及び内部への通気性を確保してガス等の充満を防ぐように図られているが、パンチング孔Ｐは扉材１７及び面材６２の上半分のみに設けられている。折り畳み式ゴミ収容装置１０内に収容されたゴミは重力により下方に配向すると共に、外側に拡がって扉材１７や面材６２の内面に押し付けられるような状態になる場合が多く、かかる状態でゴミがカラスの嘴等により容易に啄まれる恐れが大きくなるが、扉材１７及び面材６２の下半分にパンチング孔Ｐを設けていないことでそのような不具合が発生する恐れを小さくすることができる。また上面板７にはパンチング孔Ｐを設けないようにして、収容されたゴミが水濡れして不具合が発生するのを防止している。
【００４１】
図８は、後側枠体２への上面板７の取り付けの詳細を示す説明図である。上面板７の枠状部７３は、アングル材２１に対して平面コ字状の取付金具７４を介して取り付けられることで、アングル材２１と上面板７とが間隔をおいて取り付けられるようになされている。枠状部７３と取付金具７４とは回動軸７２により接続されて、回動軸７２を中心に上面板７が矢印Ｙ２及び矢印Ｙ５の両方向に回動自在となされている。上面板７の後端と、アングル材２１の上面を閉塞する天板２４との間には、上面板７の回動半径を確保するだけのクリアランスが設けられ、また取付金具７４は、アングル材２１の上面及び前面から突出しないように取り付けられている。
【００４２】
また囲繞部２３を形成する後側枠体２の側面に、ガラスビーズを合成樹脂に埋設して成形した再帰反射体Ｒが取り付けられていることで、夜間においても車両の前照灯等により折り畳み式ゴミ収容装置１０の存在が喚起され、車両等の衝突や擦過の発生を防止することができる。再帰反射体Ｒは後側枠体２の側面のみならず、後側枠体２の前面側や、前側枠体１の前側面側、上面板７の上面等、注意喚起の効果が高められる適宜の箇所に取り付けておくのが好ましい。
【００４３】
図９は、折り畳み式ゴミ収容装置１０の収納状態での、後側枠体２を透視した側面図である。折り畳まれた状態で、前側枠体１及び側面枠体６が前後に重ねられ、後方の側面枠体６Ｂはヒンジ部６３を介してアングル材２１にヒンジ部６３を中心に回動可能に取り付けられている。後側枠体２の後背面は背面板２５により閉塞され、上面は天板２４により閉塞されているが、側面及び前面は開放されている。アングル材２１が筺状に枠組みされて後側枠体２が形成されていることで、後側枠体２内にはアングル材２１の外面により囲まれた囲繞部２３が形成されている。前側枠体１及び側面枠体６が前後に略隙間なく重ねられ、前側枠体１、側面枠体６及び上面板７を合わせた厚みが囲繞部２３の厚みより小さくなされ、且つ前側枠体１及び側面枠体６の外周面が、後側枠体２の内周面より小さくなされていることで、収納状態において囲繞部２３内に収納された前側枠体１、側面枠体６及び上面板７が、ヒンジ構造も含めて収められて囲繞部２３の外にはみ出ないようになされている。
【００４４】
前側枠体１、側面枠体６及び上面板７が囲繞部２３の外にはみ出ないように収められていることで、収納状態で歩行者や自転車が衝突した場合に、その衝撃がアングル材２１により受け止められて、容易に前側枠体１、側面枠体６及び上面板７に到達しないようになされることで、これらの破損や変形を防止でき、とりわけ外力に対して変形し易いヒンジ構造の保護を図れることで、収納及び展開機構の耐久性を格段に高めることができる。また、第一の実施形態と同様に、汚損により好ましくない外観となる前側枠体１を後側枠体２及び上面板７により隠して、収納時の美観を高めることができる。
【００４５】
尚、本実施形態における折り畳み式ゴミ収容装置１０は、例えば幅１５００ｍｍ×高さ１０００ｍｍ×奥行き１０００ｍｍの大きさのものを図示しているが、この大きさ及び幅、高さ及び奥行きの比率のものに限定されるものではなく、道路の側縁等に設置されるにおいて最も重要視される奥行きを設定するのに、例えば奥行きを７００ｍｍにしたい場合には側面枠体６及び上面板７の大きさを変更するのみで他の部材についてはそのまま用いることができ、部材の共通性を高めて種々の奥行きへの対応が容易なものとなされている。
【００４６】
更に設置状態において、折り畳み式ゴミ収容装置１０の背面側を壁面等から距離を置くようにして、折り畳み式ゴミ収容装置１０全体に自動車等のカバーの如き覆いを被せるようにすれば、折り畳み式ゴミ収容装置１０の汚損を防止することができると共に、上面板７が固定されていない状態でも上面板７が風圧等により動揺して音鳴りが発生するのを防止することができ好ましい。
【００４７】
図１０は、折り畳み式ゴミ収容装置１０の横断面図で、（ａ）が展開状態、（ｂ）が収納状態を示すものである。まず（ａ）において、側面枠体６は、回転二軸ヒンジであるヒンジ部６４により後方の側面枠体６Ｂが背面側のアングル材２１にヒンジ構造により取り付けられており、後方の側面枠体６Ｂと前方の側面枠体６Ａとは平型蝶番であるヒンジ部６３によりヒンジ構造によって取り付けられている。また前側枠体１と前方の側面枠体６Ａとは、回転二軸ヒンジであるヒンジ部６４によりヒンジ構造により取り付けられている。尚、ヒンジ部６３及び６４は、側面枠体６に対しては強度の高い外枠部６１にビス止め又はリベット止めされて取り付けられている。
【００４８】
次に（ｂ）において、前側枠体１の外周面の幅Ｗ１が、後側枠体２の内周面の幅Ｗ２より小さくなされていることで、前側枠体１は囲繞部２３内に収容可能となされるが、側面枠体６が折り畳まれた状態でヒンジ部６３までも含めた幅Ｗ３が幅Ｗ２の半分より小さくなされていることで、側面枠体６Ａ及び６Ｂが互いに衝突することなく折り畳むことができるようになると共に、囲繞部２３内で要する厚みは側面枠体６Ａ及び６Ｂの厚み分だけとなされて囲繞部２３内のスペースを有効に活用できるよう図られている。また上面板７についても、左右の幅が前側枠体１の幅Ｗ１と略同一となされており、囲繞部２３に収容可能となされると共に前側枠体１及び側面枠体６の上に載置された際に段差が生じることがなくされて、美観を高めるようになされている。
【００４９】
図１１は、上面板７の変形の一例で、折り畳み式ゴミ収容装置１０の前面の上端角部付近の詳細を示す説明図である。上面板７の下面にゴム等の弾性体からなるパッキン材７５が取り付けられ、前側枠体１及び側面枠体６上に上面板７が載置される際の衝撃を緩和し、各々の変形や破損を防止すると共に音鳴りを軽減しているが、ここでパッキン７５の厚みは２０〜３０ｍｍとなされており、その厚みにより上面板７の下面と前側枠体１の上面との間に２０〜３０ｍｍ程度の、カラスの嘴等が侵入できない程度の間隙Ｋが生じるようになされることで、上面板７を矢印Ｙ２の方向に持ち上げる際に間隙Ｋに指を差し込んで行うことができ、把手７１を設ける必要がなくなり、また急激に上面板７が閉じた場合でも指が挟まれるのを防ぐことができ、コストの低減及び安全性の向上を図ることができる。
【００５０】
図１２及び図１３は、上記第三の実施形態の、変形の一例を示すもので、サインボードの取り付けを示す説明図である。まず図１２において、後側枠体２を形成するアングル材２１の、上下方向に設けられたアングル材２１の上面に取り付けられたキャップ２６を取り外し、アングル材２１の中空部２１１を上方に開放する。
【００５１】
図１３において、サインボード８は折り畳み式ゴミ収容装置１０の略全幅に亘って取り付けられるようになされたもので、アルミ樹脂積層板からなる表示板８１の周囲に金属製の角パイプからなる枠体８２が取り付けられ、枠体８２の両側端の下面からは枠体８２が延長される形で脚部８３が下方に突設されている。まず（ａ）において、開放されたアングル材２１の中空部２１１に脚部８３が上方から挿入される。脚部８３は、中空部２１１の内形より僅かに小さい外形となされることで中空部２１１に挿入可能となされると共に、挿入後のガタツキが抑えられるようになされている。脚部８３の長さは、長いほどサインボード８を安定して取り付けることができるようになるが、枠体８２と一体化された金属製の脚部８３であれば、表示部８１の高さの１／３〜１／４程度の長さであれば、風圧等に耐えうる構造とできる。
【００５２】
脚部８３を中空部２１１に挿入することで（ｂ）に示す如く折り畳み式ゴミ収容装置１０の上面にサインボード８が取り付けられる。サインボード８が不要となった場合には、中空部２１１から脚部８３を抜き取って再びキャップ２６を取り付けることで元に戻すことができる。サインボード８は比較的高い場所に設けられることで訴求効果を高めることができ、一般の商業施設や企業の広告等を表示部８１により標示してもよく、自治体の広報などを表示してもよく、またゴミ収集に関わる情報を表示して、ゴミ出し日の遵守を促すようにしてもよい。
【図面の簡単な説明】
【００５３】
【図１】本発明に係わる折り畳み式ゴミ収容装置の、第一の実施形態を示す説明図である。
【図２】本発明に係わる折り畳み式ゴミ収容装置の、第二の実施形態を示す説明図である。
【図３】図２に示した折り畳み式ゴミ収容装置の、変形の例を示す横断面図である。
【図４】図２に示した折り畳み式ゴミ収容装置の、変形の例を示す横断面図である。
【図５】本発明に係わる折り畳み式ゴミ収容装置の、第三の実施形態を示す説明図である。
【図６】本発明に係わる折り畳み式ゴミ収容装置の、第三の実施形態の収納時を示す説明図である。
【図７】上面板の取付部分の詳細を示す説明図である。
【図８】パンチング孔を設けた折り畳み式ゴミ収容装置の一例を示す斜視図である。
【図９】図５に示した折り畳み式ゴミ収容装置における後側枠体を透視した側面図である。
【図１０】図５に示した折り畳み式ゴミ収容装置の横断面図である。
【図１１】本発明に係わる折り畳み式ゴミ収容装置の、第三の実施形態における上面板の変形の例を示す説明図である。
【図１２】本発明に係わる折り畳み式ゴミ収容装置の、第三の実施形態における変形の一例を示す説明図である。
【図１３】本発明に係わる折り畳み式ゴミ収容装置の、第三の実施形態における変形の一例を示す説明図である。
【符号の説明】
【００５４】
１    前側枠体
１２  扉（扉枠材）
２    後側枠体
２３  囲繞部
３    パンタグラフ伸縮機構
３１  斜桟
３２  ピン結合
３３  Ｘ字体
３４  縦桟
３５  支持バー
４    間隔調整手段
５    膜状体
６    側面枠体
７    上面板
８    サインボード
１０  折り畳み式ゴミ収容装置
Ｄ    ゴミ
【図５】
2007070114.tif 000003
【図６】
2007070114.tif 000004
【図７】
2007070114.tif 000005
【図８】
2007070114.tif 000006
【図９】
2007070114.tif 000007
【図１０】
2007070114.tif 000008
【図１１】
2007070114.tif 000009
【図１２】
2007070114.tif 000010
【図１３】
2007070114.tif 000011
【図１】
2007070114.tif 000012
【図２】
2007070114.tif 000013
【図３】
2007070114.tif 000014
【図４】
2007070114.tif 000015